(57)【特許請求の範囲】
【請求項１】
概略長方形状の紙または板紙に、四角形の正面パネルと、六角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる六角底紙または板紙製手提げ袋において、折り畳み面の外側に案内パネルを連ね、折り畳み面と背面パネルあるいは正面パネルとの連接部に切り込みを刻設したことを特徴とする六角底紙又は板紙製手提げ袋。
【請求項２】
概略長方形状の紙または板紙に、四角形のパネルと、四角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる四角底紙または板紙製手提げ袋において、折り畳み面の外側に案内パネルを連ね、折り畳み面と背面パネルあるいは正面パネルとの連接部に切り込みを刻設したことを特徴とする四角底紙または板紙製手提げ袋。
【０００１】
【発明の詳細な説明】
【０００１】
【発明の属する技術分野】
本発明は、六角底紙または板紙製手提げ袋と四角底紙または板紙製手提げ袋に関するものである。
【０００２】
【従来の技術】
従来の紙製手提げ袋として、図８〜１４に示すものがある。
【０００３】
図８はその全体の概要を示す斜視図である。
【０００４】
通常、図９に示すように底面１０１を折り畳んで集積され、使用時には図１０に示すように折り畳んだ底面１０１を戻し開口して使用するため、正面１０２に折り罫線１０３が残り、その上、正面１０２、背面１０４、側面１０５にシワがあり美粧性が損なわれている。
また、従来の紙製手提げ袋は、図１１に示すように、その開口は粘着テープ１０６などを使用して止められている。
【０００５】
さらに図１２に示すように従来の紙製手提げ袋は、底面１０１を貼り、集積状態では図１３に示すように折り畳まれ、図１４に示すように、嵩張った状態である。また、従来の製袋機では、紙は使えても板紙を使うことはできなかった。
【０００６】
上記の問題を解決するために、本発明者は特開２０００−２０３５９５号「六角底紙または板紙製手提げ袋と四角底紙または板紙製手提げ袋」を既に提案しているが、これには製造時の作業性の悪さがあり、この点を改良した自動製袋機の提供が待たれ、コストダウンと生産の効率化、製品の品質の安定が期待されている。
【０００７】
【発明が解決しようとする課題】
紙製手提げ袋において、折り罫線やシワもなく、美観に優れ、他と差別化ができるようにし、また、開口を止めるのに粘着テープなどの特別の止め具を用いることなく、集積する際に充分積み重ねができ、さらに、製造時の作業性の悪さを改良した自動製袋機が提供できるようにし、コストダウンと生産の効率化、製品の品質が安定するような紙または板紙製手提げ袋の提供が求められている。
【０００８】
【課題を解決するための手段】
そこで、本発明は、上記の事情に鑑み、正面に折り罫線が存在せず、シワもなく、美粧性に優れ、粘着テープなどの特別の止め具が不要で、さらに積み重ねて収容する際、充分所要枚数を積み重ねでき、さらに、製造時の作業性の悪さを改良した自動製袋機を提供できるようにし、コストダウンと生産の効率化、製品の品質の安定が図れるようにすべく、概略長方形状の紙または板紙に、四角形の正面パネルと、六角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる六角底紙または板紙製手提げ袋において、折り畳み面の外側に案内パネルを連ね、折り畳み面と背面パネルあるいは正面パネルとの連接部に切り込みを刻設した六角底紙または板紙製手提げ袋とした。
また、従来の手提げ袋には、用紙の厚みに限界があったが、本発明では構造上中程度の厚みの板紙も使用でき、化装箱の使用の必要性をさらに減じることが可能である。
【０００９】
さらに、現有の製袋機における作業性の悪さを他の機器に置き換えることにより改善できる。
また、本発明は、単に折り曲げ線の角度を４５°にすることにより四角底にも応用でき、概略長方形状の紙または板紙に、四角形のパネルと、四角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる四角底紙または板紙製手提げ袋とした。
【００１０】
【発明の実施の態様】
本発明を添付する図面に示す具体的な実施例に基づいて以下詳細に説明する。
【００１１】
図１に六角底板紙手提げ袋の展開図を示す。言うまでもなく紙の場合も同様である。
【００１２】
概略長方形状の板紙に、四角形の正面パネル１と、六角形の底パネル２と、前記正面パネル１と同一形状の背面パネル３とを順に連ねる。
正面パネル１の両側に折り畳み線４を介在させて概略長方形状の糊代５を連ね、正面パネル１の図１における上辺に折り畳み線６を介在させて補強パネル７を連ねる。
【００１３】
正面パネル１と底パネル２と背面パネル３とはそれぞれ折り畳み線８、折り畳み線９で区画する。
【００１４】
前記底パネル３の折り畳み線８と折り畳み線９との中間で平行に位置する折り畳み線１０を刻設し、前記折り畳み線１０の両端からそれぞれ内側外方に延びる斜状の折り曲げ線１１を設けて六角形の底パネル２を形成する。
なお、図示例では折り曲げ線１１は折り畳み線１０に対する角度が４５°以下に形成されて六角底の例を示しているが、折り曲げ線１１を折り畳み線１０に対する角度を４５°とすると四角底となる（図示は省略）。
【００１５】
前記折り曲げ線１１と正面パネル１、折り曲げ線１１と背面パネル３との間に三角形の折り畳み面１２を形成する。
折り曲げ線１１と折り畳み線８との交点から、折り曲げ線１１と折り畳み線９との交点に至る折り曲げ線１３を刻設する。折り曲げ線１３は六角底の場合は設けなくてもよい。
【００１６】
また、背面パネル３の下辺には折り畳み線１４を介在させて補強パネル１５を連ねる。
【００１７】
さらに、補強パネル７・１５には把手を通す挿通孔１６を穿設し、この挿通孔１６に対応する正面パネル１・背面パネル３の箇所に挿通孔１７をそれぞれ穿設する。
【００１８】
本発明では、製造時の作業性の悪さを改良した自動製袋機を提供できるようにし、コストダウンと生産の効率化、製品の品質の安定が図れるようにすべく、折り畳み面１２の外側に折り畳み線２０を介在させて案内パネル２２を連ねる。この案内パネル２２の幅は糊代５の幅の１／２程度とする。
【００１９】
また、前記案内パネル２２を連ねた折り畳み面１２と背面パネル３との連接部あるいは折り畳み面１２と正面パネル１との連接部に切り込み２３を刻設する。糊代５を背面パネル３の両側に設ける場合は、切り込みは折り畳み面１２と正面パネル１との連続部に刻設する。
【００２０】
上記の案内パネル２２と切り込み２３が、背面パネル３と底パネル２・正面パネル１との分離、折りと糊付け、圧着を自動製袋機により可能とする。
次に、この六角底板紙製手提げ袋の組立について図２〜図４により説明する。
【００２１】
図２（ａ）は展開図である。
【００２２】
まず、図２（ｂ）に示すように、底パネル２が折り畳み線１０を頂上とした山状に山折りする。
【００２３】
次に、図２（ｃ）に示すように、折り畳み面１２内面と正面パネル１内面とを当接させて折り畳む。
さらに、前記と同様に折り畳み面１２内面と背面パネル３内面とを接着する。図２（ｃ）は接着後の状態である。
【００２４】
この図２（ａ）、２（ｂ）、２（ｃ）で示される底折り工程は一台の自動製袋機で行われる。
【００２５】
底折りされたものの給紙、分離、折りと糊付け、圧着の工程は、底折り工程と別の自動製袋機で行われ、図３に示す通りである。
【００２６】
図３（ａ）は給紙された状態で、その要部の拡大を図４（ａ）に示す。
【００２７】
図３（ｂ）は背面パネル３と底パネル２・正面パネル１とを分離した状態で、その要部の拡大を図４（ｂ）に示す。
【００２８】
図４（ｂ’）は、ガイド棒２４が案内パネル２２と背面パネル３との間に入って背面パネル３と底パネル２・正面パネル１を分離しようとする状態を示す。案内パネル２２と切り込み２３がなければ、ガイド棒２４は背面パネル１と底パネル５を分離できない。糊代５外面を背面パネル３内面に糊付けできないこととなる。図４（ｂ”）はガイド棒２４により背面パネル３と底パネル２とが分離された状態を示す。
【００２９】
図３（ｃ）は、糊代５・案内パネル２２の正面パネル１内面側への折りと糊付けの状態で、その要部の拡大を図４（ｃ）に示す。糊棒２５により糊代５・案内パネル２を正面パネル内面側へ折り、同時に糊代５外面に糊付けを行う。
【００３０】
図３（ｄ）に糊代５外面と背面パネル３内面とを圧着して接着した状態を示し、その要部拡大を図４（ｃ）に示す。
図５は組立てが完了した状態を示す。符号２１は把手である。
【００３１】
この六角底板紙製手提げ袋によると正面パネル１と背面パネル３とが側面を介在させることなく、直接糊代５により接着されているので、折り罫線が存在せず、また、シワがなく、美観が損なわれることがない。
また、六角底板紙製手提げ袋は、底面パネルが六角形であるため、使用時には底面を六角形に展開すると、開口部は塞がり、従来の紙製手提げ袋のように開口を止めるのに粘着テープなどを必要としない。
【００３２】
さらに、図６および図７に示すように、集積時には偏平状態であるので、従来の紙製手提げ袋が図１３、図１４に示すように嵩張った状態であるのに対し、集積する際、充分に積み重ねができる。
なお、上記の実施例においては、糊代が正面パネルにのみ連なった例について述べているが、背面パネルにのみ連なる場合、正面パネルと背面パネルとに連なる場合のいずれでも実施することができるのは言うまでもない。
【００３３】
また、本発明は単に折り曲げ線の角度を４５°にすることにより四角底にも応用できる。
【００３４】
【発明の効果】
本発明は、上述のように、概略長方形状の紙または板紙に、四角形の正面パネルと、六角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる六角底紙または板紙製手提げ袋において、折り畳み面の外側に案内パネルを連ね、折り畳み面と背面パネルあるいは正面パネルとの連接部に切り込みを刻設した六角底紙または板紙製手提げ袋であるので、折り罫線やシワもなく、美観に優れ、他と差別化ができるようにし、また、開口を止めるのに粘着テープなどの特別の止め具を用いることなく、さらに、集積する際に充分積み重ねができ、製造時の作業性の悪さを改良した自動製袋機を提供できるようにし、コストダウンと生産の効率化、製品の品質の安定ができる。
また、本発明の六角底板紙製手提げ袋は、従来の製袋機によらないで袋ができるので、素材として板紙の使用が可能になった。
【００３５】
また、寸法の異なる原反の使い勝手がよくなり、用途に応じ最適な袋の製造ができるようになった。
【００３６】
さらに、本発明の四角または六角底紙または板紙製手提げ袋は、ファッション性を充分に備えたものである。
さらにその上に、本発明は、商品を収容するケースを使用しないで、直接商品を収容させることもできる。
【００３７】
また、本発明は単に折り曲げ線の角度を４５°にすることにより四角底にも応用でき、概略長方形状の紙または板紙に、四角形のパネルと、四角形の底パネルと、前記正面パネルと同一形状の背面パネルとを順に連ね、前記正面パネルあるいは背面パネルの側部に糊代を連ね、前記底パネルの中央に折り畳み線を刻設し、折り畳み線の両端からそれぞれ内側外方に延びる斜状の折り曲げ線を設けて六角形の底パネルを形成し、前記折り曲げ線と正面パネル、折り曲げ線と背面パネルとの間にそれぞれ三角形の折り畳み面を形成し、折り畳み面内面と正面パネル内面、折り畳み面内面と背面パネル内面とを接着し、糊代外面と背面パネル内面とを接着させてなる四角底紙または板紙製手提げ袋において、折り畳み面の外側に案内パネルを連ね、折り畳み面と背面パネルあるいは正面パネルとの連接部に切り込みを刻設した四角底紙または板紙製手提げ袋とした。
【図面の簡単な説明】
【図１】本発明の六角底板紙製手提げ袋の具体的一実施例の展開図である。
【図２】図２（ａ）は展開図、図２（ｂ）は本発明の底パネルを山折りにした状態を示す斜視図、図２（ｃ）は本発明の折り畳み面内面と正面パネル内面とを当接させて折り畳んだ状態の正面図である。
【図３】図３（ａ）は給紙された状態の斜視図、図３（ｂ）は背面パネルと底パネル・正面パネルとを分離した状態の斜視図、図３（ｃ）は糊代・案内パネルの正面パネル内面側への折りと糊付けの状態の斜視図、図３（ｄ）は糊代外面と背面パネル内面とを圧着して接着した状態の正面図である。
【図４】図４（ａ）は給紙された状態の要部の拡大斜視図、図４（ｂ’）はガイド棒が案内パネルと背面パネルとの間に入って背面パネルと底パネル・正面パネルを分離しようとする状態の斜視図、図４（ｂ”）はガイド棒により背面パネルと底パネルとが分離された状態の斜視図、図４（ｃ）は糊代・案内パネル内面側への折りと糊付けの状態の要部拡大斜視図、図４（ｄ）は糊代外面と背面パネル内面とを圧着して接着した状態の要部拡大図である。
【図５】本発明の六角底板紙製手提げ袋が組上がり完成した状態を示す斜視図である。
【図６】本発明の六角底板紙製手提げ袋を折り畳んだ状態を示す斜視図である。
【図７】本発明の六角底板紙製手提げ袋を折り畳んだ状態を示す側面図である。
【図８】従来の紙製手提げ袋の組上がった状態の斜視図である。
【図９】従来の紙製手提げ袋を折り畳んだ状態の斜視図である。
【図１０】従来の紙製手提げ袋の開口を開いた状態の斜視図である。
【図１１】従来の紙製手提げ袋の開口を粘着テープで止めた状態の斜視図である。
【図１２】従来の紙製手提げ袋の底面を貼った状態を示す底面図である。
【図１３】従来の紙製手提げ袋を折り畳んだ状態の斜視図である。
【図１４】従来の紙製手提げ袋の折り畳んだ状態の側面図である。
【符号の説明】
１…正面パネル
２…底パネル
３…背面パネル
４…折り畳線
５…糊代
６…折り畳み線
７…補強パネル
８…折り畳み線
９…折り畳み線
１０…折り畳み線
１１…折り曲げ線
１２…折り畳み面
１３…折り曲げ線
１４…折り畳み線
１５…補強パネル
１６…挿通孔
１７…挿通孔
２１…把手
２０…折り畳み線
２２…案内パネル
２３…切り込み
【図１】
0003686343.tif 000002
【図２】
0003686343.tif 000003
【図３】
0003686343.tif 000004
【図４】
0003686343.tif 000005
【図５】
0003686343.tif 000006
【図６】
0003686343.tif 000007
【図７】
0003686343.tif 000008
【図８】
0003686343.tif 000009
【図９】
0003686343.tif 000010
【図１０】
0003686343.tif 000011
【図１１】
0003686343.tif 000012
【図１２】
0003686343.tif 000013
【図１３】
0003686343.tif 000014
【図１４】
0003686343.tif 000015